【手続補正書】
【提出日】平成18年11月28日(2006.11.28)
【手続補正１】
【補正対象書類名】特許請求の範囲
【補正対象項目名】全文
【補正方法】変更
【補正の内容】
【特許請求の範囲】
【請求項１】
キャリブレーションの設定情報を含むジョブデータを受信し、当該受信したジョブデータに基づいて、印刷を行うプリントシステムであって、
前記設定情報の内容を判定する設定判定手段と、
該設定判定手段が判定した前記設定情報の内容に基づいて、キャリブレーションデータを生成するキャリブレーション手段と、
該キャリブレーション手段がキャリブレーションデータを生成したとき、当該生成されたキャリブレーションデータに基づいて、前記印刷の特性を補正する補正手段と
を備えたことを特徴とするプリントシステム。
【請求項２】
前記プリントシステムは、通信ネットワークに接続されており、該通信ネットワークを介してジョブデータを受信する
ことを特徴とする請求項１に記載のプリントシステム。
【請求項３】
前記設定情報は、キャリブレーションデータの生成を指示するものであって、かつ、該設定情報を有するジョブデータのみにキャリブレーションを適用する旨を指示するものであることを特徴とする請求項１または２に記載のプリントシステム。
【請求項４】
前記設定情報が前記第１の指示であるか判定する適用判定手段と、
前記判定結果、前記設定情報によって前記第１の指示が指示されていると判定した場合、前記設定情報を有するジョブデータにのみ、前記補正手段による補正を行なうことを特徴とする請求項３に記載のプリントシステム。
【請求項５】
前記設定情報は、キャリブレーションデータの生成を指示するものであって、かつ、該設定情報を有するジョブデータ及びそれ以降のジョブデータにキャリブレーションを適用する旨を指示するものであることを特徴とする請求項１または２に記載のプリントシステム。
【請求項６】
前記設定情報は、キャリブレーションデータの生成を指示するものであって、かつ、キャリブレーションの精度の指示をするものであることを特徴とする請求項１または２に記載のプリントシステム。
【請求項７】
前記設定情報は、第１の精度、または該第１の精度より高精度な第２の精度を指示するもので、
前記設定情報が前記第１の精度の場合、前記キャリブレーションデータとして、Ｃ、Ｍ、Ｙ、Ｋの１次元ＬＵＴを生成し、
前記設定情報が前記第２の精度の場合、前記キャリブレーションデータとして、プリンタプロファイルを生成することを特徴とする請求項１に記載のプリントシステム。
【請求項８】
キャリブレーションの設定情報を含むジョブデータを受信し、当該受信したジョブデータに基づいて、印刷を行うプリントシステムのプリント方法であって、
プロセッサが、前記設定情報の内容を判定する設定判定ステップと、
プロセッサが、該設定判定ステップにおいて判定した前記設定情報の内容に基づいて、キャリブレーションデータを生成するキャリブレーションステップと、
該キャリブレーションステップにおいてキャリブレーションデータを生成したとき、プロセッサが、当該生成されたキャリブレーションデータに基づいて、前記印刷の特性を補正する補正ステップと
を備えることを特徴とするプリント方法。
【請求項９】
キャリブレーションの設定情報を含むジョブデータを受信し、
前記設定情報に従い、前記ジョブデータに対してのみ前記設定情報に従って得られたキャリブレーションデータを用いたキャリブレーション処理を行うか、前記ジョブデータ以降に受信するジョブデータに対しても前記設定情報に従って得られたキャリブレーションデータを用いたキャリブレーション処理を行うか切り替える
ことを特徴とする画像処理方法。
【請求項１０】
前記ジョブデータは他のサイトからネットワークを介して受信されることを特徴とする請求項９に記載の画像処理方法。
【請求項１１】
前記設定情報に従い生成されたキャリブレーションデータを用いて、前記ジョブデータを変換した中間データに処理を施すことを特徴とする請求項１０に記載の画像処理方法。
【請求項１２】
前記設定情報はジョブチケットとして受信されることを特徴とする請求項９に記載の画像処理方法。
【請求項１３】
前記キャリブレーションは、前記ジョブデータに応じた複数色成分のデータを色成分ごとに補正するための１次元のLUTを作成もしくは、前記ジョブデータに応じた複数色成分のデータを処理するためのプロファイルを修正することを特徴とする請求項９に記載の画像処理方法。
【請求項１４】
キャリブレーションの設定情報を含むジョブデータを受信する受信手段と、
前記設定情報に従い、前記ジョブデータに対してのみ前記設定情報に従って得られたキャリブレーションデータを用いたキャリブレーション処理を行うか、前記ジョブデータ以降に受信するジョブデータに対しても前記設定情報に従って得られたキャリブレーションデータを用いたキャリブレーション処理を行うか切り替える切り替え手段と
を備えたことを特徴とする画像処理システム。
【請求項１５】
キャリブレーションの設定情報を含むジョブデータを受信するコードと、
前記設定情報に従い、前記ジョブデータに対してのみ前記設定情報に従って得られたキャリブレーションデータを用いたキャリブレーション処理を行うか、前記ジョブデータ以降に受信するジョブデータに対しても前記設定情報に従って得られたキャリブレーションデータを用いたキャリブレーション処理を行うか切り替えるコードと
を備えたことを特徴とするコンピュータにより読み取り可能なプログラム。
【手続補正２】
【補正対象書類名】明細書
【補正対象項目名】０００１
【補正方法】変更
【補正の内容】
【０００１】
本発明は、プリントシステム及び方法に関する。より詳細には、インターネット、イントラネット等の通信ネットワークを介してカラープリンタに出力する際に、安定した出力を得るために遠隔地のプリンタのキャリブレーションを行う、プリントシステム、プリント方法、画像処理方法、画像処理システム、及びプログラムに関する。
【手続補正３】
【補正対象書類名】明細書
【補正対象項目名】００１３
【補正方法】変更
【補正の内容】
【００１３】
このような目的を達成するために、本発明のプリントシステムは、キャリブレーションの設定情報を含むジョブデータを受信し、当該受信したジョブデータに基づいて、印刷を行うプリントシステムであって、前記設定情報の内容を判定する設定判定手段と、該設定判定手段が判定した前記設定情報の内容に基づいて、キャリブレーションデータを生成するキャリブレーション手段と、該キャリブレーション手段がキャリブレーションデータを生成したとき、当該生成されたキャリブレーションデータに基づいて、前記印刷の特性を補正する補正手段とを備えたことを特徴とする。
また上記目的を達成するために、本発明のプリント方法は、キャリブレーションの設定情報を含むジョブデータを受信し、当該受信したジョブデータに基づいて、印刷を行うプリントシステムのプリント方法であって、プロセッサが、前記設定情報の内容を判定する設定判定ステップと、プロセッサが、該設定判定ステップにおいて判定した前記設定情報の内容に基づいて、キャリブレーションデータを生成するキャリブレーションステップと、該キャリブレーションステップにおいてキャリブレーションデータを生成したとき、プロセッサが、当該生成されたキャリブレーションデータに基づいて、前記印刷の特性を補正する補正ステップとを備えることを特徴とする。
また上記目的を達成するために、本発明の画像処理方法は、キャリブレーションの設定情報を含むジョブデータを受信し、前記設定情報に従い、前記ジョブデータに対してのみ前記設定情報に従って得られたキャリブレーションデータを用いたキャリブレーション処理を行うか、前記ジョブデータ以降に受信するジョブデータに対しても前記設定情報に従って得られたキャリブレーションデータを用いたキャリブレーション処理を行うか切り替えることを特徴とする。
また上記目的を達成するために、本発明の画像処理システムは、キャリブレーションの設定情報を含むジョブデータを受信する受信手段と、前記設定情報に従い、前記ジョブデータに対してのみ前記設定情報に従って得られたキャリブレーションデータを用いたキャリブレーション処理を行うか、前記ジョブデータ以降に受信するジョブデータに対しても前記設定情報に従って得られたキャリブレーションデータを用いたキャリブレーション処理を行うか切り替える切り替え手段とを備えたことを特徴とする。
また上記目的を達成するために、本発明のコンピュータにより読み取り可能なプログラムは、キャリブレーションの設定情報を含むジョブデータを受信するコードと、前記設定情報に従い、前記ジョブデータに対してのみ前記設定情報に従って得られたキャリブレーションデータを用いたキャリブレーション処理を行うか、前記ジョブデータ以降に受信するジョブデータに対しても前記設定情報に従って得られたキャリブレーションデータを用いたキャリブレーション処理を行うか切り替えるコードとを備えたことを特徴とする。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】変更
【補正の内容】
【００２９】
本発明によれば、リモート先のカラープリンタをリモート制御して、自動的にキャリブレーションを行うことが可能になる。特に、１台のリモート先のカラープリンタに対して、複数のクライアントからジョブの処理依頼がかかる場合に、ジョブ毎（クライアント毎）に、キャリブレーションをリモートで実施するかどうかのＯＮ／ＯＦＦを指定できる。